(57)【要約】【課題】  複数の操作ボタンが備えられたモコンを利用して撮影装置に制御命令を入力できる撮影システムにおいて、複数の操作ボタンを同時に選択してそれに該当する複数のリモコン信号が撮影装置に印加されれば、撮影装置は印加された複数のリモコン信号を組み合わせて構成した新しい制御命令によって制御動作を行う撮影システム及びその制御方法を提供する。【解決手段】  本撮影システムは、画像信号を出力する撮影部、第１及び第２制御命令を各々入力するための第１及び第２操作ボタンを備え、第１及び第２操作ボタンのうち少なくとも一つを選択できる入力部及び第１及び第２操作ボタンのいずれかが選択されれば対応される第１及び第２制御命令のいずれによって撮影部を制御し、第１及び第２操作ボタン全てが選択されれば第３制御命令によって撮影部を制御する制御部を含む。【選択図】      図７
2005151545.tif 000002
【特許請求の範囲】
【請求項１】
レンズ部を介して入射される光信号を電気的信号に光電変換させた後、所定の信号処理過程を経て生成した画像信号を出力する撮影部と、
第１及び第２制御命令を各々入力するための第１及び第２操作ボタンを備え、前記第１及び第２操作ボタンの少なくとも一つを選択できる入力部と、
前記第１及び第２操作ボタンのいずれかが選択されれば、対応される前記第１及び第２制御命令のいずれかに基づき前記撮影部を制御し、前記第１及び第２操作ボタン全てが選択されれば、第３制御命令に基づき前記撮影部を制御する制御部と
を備えることを特徴とする撮影システム。
【請求項２】
前記制御部は、前記第１及び第２操作ボタン全部が所定の時間以上持続的に選択されれば、第４制御命令に基づき前記撮影部を制御することを特徴とする請求項１に記載の撮影システム。
【請求項３】
前記入力部は、前記第３及び第４制御命令のいずれかを入力するための第３操作ボタンをさらに備え、
前記制御部は、前記入力部で前記第３操作ボタンが所定時間未満に選択されれば、前記第３制御命令に基づき前記撮影部を制御し、所定の時間以上持続的に選択されれば、前記第４制御命令に基づき前記撮影部を制御することを特徴とする請求項２に記載の撮影システム。
【請求項４】
前記制御部は、前記第１操作ボタンが所定の時間以上持続的に選択されれば、前記第３制御命令に基づき前記撮影部を制御し、前記第２操作ボタンが所定時間以上に持続的に選択されれば、前記第４制御命令に基づき前記撮影部を制御することを特徴とする請求項２に記載の撮影システム。
【請求項５】
前記第３制御命令は、メニュー画面の表示命令、前記撮影部の環境設定値を基本値に復元するための復元命令、自動焦点設定命令及び自動露出設定命令のいずれかであることを特徴とする請求項１に記載の撮影システム。
【請求項６】
前記第４制御命令は、メニュー画面の表示命令、前記撮影部の環境設定値を基本値に復元するための復元命令、自動焦点設定命令及び自動露出設定命令のいずれかであることを特徴とする請求項２に記載の撮影システム。
【請求項７】
レンズ部を介して入射される光信号を電気的信号に光電変換させた後、所定の信号処理過程を経て生成した画像信号を出力する撮影部及び第１及び第２操作ボタンが含まれた入力部を備えた撮影システムの制御方法において、
ａ)前記第１及び第２操作ボタンの少なくとも一つを選択するステップと、
ｂ)前記ａ)ステップにおいて、前記第１及び第２操作ボタンのいずれが選択されれば、対応される第１及び第２制御命令のいずれかに基づいて前記撮影部を制御するステップと、
ｃ)前記ａ)ステップにおいて、前記第１及び第２操作ボタン全てが選択されれば、第３制御命令に基づき前記撮影部を制御するステップと
を備えることを特徴とする撮影システムの制御方法。
【請求項８】
ｄ)前記ａ)ステップにおいて、前記第１及び第２操作ボタン全てが所定時間以上に持続的に選択されれば、第４制御命令に基づき前記撮影部を制御するステップをさらに備えることを特徴とする請求項７に記載の撮影システムの制御方法。
【請求項９】
前記入力部は、前記第３及び第４制御命令のいずれかを入力するための第３操作ボタンをさらに備え、
ｅ)前記ａ)ステップにおいて、前記第３操作ボタンが所定時間未満に選択されれば、前記第３制御命令に基づき前記撮影部を制御するステップと、
ｆ)前記ａ)ステップにおいて、前記第３操作ボタンが所定時間以上に持続的に選択されれば、前記第４制御命令に基づき前記撮影部を制御するステップと
をさらに備えることを特徴とする請求項８に記載の撮影システムの制御方法。
【請求項１０】
ｇ)前記ａ)ステップにおいて、前記第１操作ボタンが所定時間以上に持続的に選択されれば、前記第３制御命令に基づき前記撮影部を制御するステップと、
ｈ)前記ａ)ステップにおいて、前記第２操作ボタンが所定時間以上に持続的に選択されれば、前記第４制御命令に基づき前記撮影部を制御するステップと
をさらに備えることを特徴とする請求項８に記載の撮影システムの制御方法。
【請求項１１】
前記第３制御命令は、メニュー画面の表示命令、前記撮影部の環境設定値を基本値に復元するための復元命令、自動焦点設定命令及び自動露出設定命令のいずれかであることを特徴とする請求項７に記載の撮影システムの制御方法。
【請求項１２】
前記第４制御命令は、メニュー画面の表示命令、前記撮影部の環境設定値を基本値に復元するための復元命令、自動焦点設定命令及び自動露出設定命令のいずれかであることを特徴とする請求項８に記載の撮影システムの制御方法。
【発明の詳細な説明】
【技術分野】
【０００１】
本発明は、撮影システム及びその制御方法に関し、さらに詳細には複数の操作ボタンが備えられたリモコンを利用して撮影装置に制御命令を入力できる撮影システム及びその制御方法に関する。
【背景技術】
【０００２】
データ伝送技術が発達するに従って、撮影装置が設置された場所から遠く離れた場所でも、撮影装置が撮影して伝送した画像を見ることができるようになった。例えば、外部から保安が要求される場所や犯罪の多い場所にＣＣＴＶカメラを設置し、監視者は管理室でモニタを通して監視する場合と交通渋滞地域にカメラを設置し中央統制室で道路状況を把握する場合などである。
【０００３】
図１は、従来の撮影システムのブロック図である。図１に示すように、従来の撮影システムは撮影装置１０、記録/再生部２０及びリモコン３０から構成される。
【０００４】
撮影装置１０は、被写体を撮像して生成した画像信号を記録/再生部２０に提供し、キー入力部１５またはリモコン３０にて入力される使用者の制御命令に基づき各モジュールを制御する。このような機能を行う撮影装置１０は、撮影部１１、メイン制御部１３、キー入力部１５及びリモコン信号伝達部１７から構成される。
【０００５】
撮影部１１は、メイン制御部１３の制御に基づき、被写体を撮像して生成した画像信号を記録/再生部２０に提供する。
【０００６】
メイン制御部１３は、キー入力部１５またはリモコン３０にて使用者の制御命令を伝達され、それに従って撮影部１１の撮影動作を制御する。
【０００７】
また、リモコン信号伝達部１７は、リモコン３０から出力されるリモコン信号をメイン制御部１３に伝達する。
【０００８】
記録/再生部２０は、撮影装置１０から撮像された画像を伝送され、これをディスプレイ装置に再生したり記録媒体に記録する。
【０００９】
リモコン３０は、使用者が遠隔地で撮影装置１０に制御命令を入力するための手段であって、複数の操作ボタンを備える。各々の操作ボタンは、それぞれ異なる制御命令を入力するためのものである。
【００１０】
以下では、使用者がリモコン３０にて入力した制御命令がメイン制御部１３に伝達される過程と制御命令を受け取ったメイン制御部１３が撮影部１１を制御する過程に対して、図２及び図３を参照して説明する。
【００１１】
図２は、図１のリモコン３０から出力されるリモコン信号がリモコン信号伝達部１７を介してメイン制御部１３に印加される過程を説明する図面である。図２に示すように、リモコン３０にはズーム倍率を縮小させるためのＷＩＤＥボタン３１、ズーム倍率を拡大させるためのＴＥＬＥボタン３３、焦点ＦＯＣＵＳを遠距離に移動させるためのＦＡＲボタン３５及び焦点を近距離に移動させるためのＮＥＡＲボタン３７が備えられている。
【００１２】
また、リモコン信号の伝達部１７には、リモコン３０から出力されるリモコン信号を受け取るための３個の端子Ｚｏｏｍ、Ｃｏｍ.、Ｆｏｃｕｓが備えられている。また、メイン制御部１３には、リモコン信号伝達部１７から出力される論理レベル信号を受け取るための４個のポートＺＷ、ＺＴ、ＦＦ、ＦＮが備えられている。
【００１３】
使用者がＷＩＤＥボタン３１を選択すれば、リモコン信号伝達部１７のＺｏｏｍ端子とＣｏｍ.端子との間には＋５Ｖの電圧が印加される。したがって、第１発光ダイオードＤ１だけが導通されて発光し、第１光トランジスタＴｒ１だけがオン状態となって、メイン制御部１３のＺＷ(Ｚｏｏｍ_Ｗｉｄｅ)ポートには論理レベルローが入力される。これに対し、第２〜第４発光ダイオードＤ２〜Ｄ４は導通されないため、第２〜第４光トランジスタＴｒ２〜Ｔｒ４はオフ状態となり、メイン制御部１３のＺＴ(Ｚｏｏｍ_ＴＥＬＥ)ポート、ＦＦ(ＦＯＣＵＳ_ＦＡＲ)ポート及びＦＮ(ＦＯＣＵＳ_ＮＥＡＲ)ポートには論理レベルハイが入力される。
【００１４】
また、使用者がＴＥＬＥボタン３３を選択すれば、リモコン信号伝達部１７のＺｏｏｍ端子とＣｏｍ.端子との間には-５Ｖの電圧が印加される。したがって、第２発光ダイオードＤ２のみが導通されて発光し、第２光トランジスタＴｒ２がオンの状態となってメイン制御部１３のＺＴポートには論理レベルローが入力される。これに対し、第１、第３、第４発光ダイオードＤ１、Ｄ３、Ｄ４は導通されないため、第１、第３、第４光トランジスタＴｒ１、Ｔｒ３、Ｔｒ４はオフ状態となって、メイン制御部１３のＺＷポート、ＦＦポート及びＦＮポートには論理レベルハイが入力される。
【００１５】
また、使用者がＦＡＲボタン３５を選択すれば、リモコン信号伝達部１７のＦｏｃｕｓ端子とＣｏｍ.端子との間には＋５Ｖの電圧が印加される。したがって、第３発光ダイオードＤ３のみが導通されて発光し、第３光トランジスタＴｒ３がオンの状態となってメイン制御部１３のＦＦポートには論理レベルローが入力される。これに対し、第１、第２、第４発光ダイオードＤ１、Ｄ２、Ｄ４は導通されないので、第１、第２、第４光トランジスタＴｒ１、Ｔｒ２、Ｔｒ４はオフ状態となってメイン制御部１３のＺＷポート、ＺＴポート及びＦＮポートには論理レベルハイが入力される。
【００１６】
最後に、使用者がＮＥＡＲボタン３７を選択すれば、リモコン信号伝達部１７のＦｏｃｕｓ端子とＣｏｍ.端子との間には−５Ｖの電圧が印加される。したがって、第４発光ダイオードＤ４のみが導通されて発光し、第４光トランジスタＴｒ４がオン状態となってメイン制御部１３のＦＮポートには論理レベルローが入力される。これに対し、第１〜第３発光ダイオードＤ１〜Ｄ３は導通されないので、第１〜第３光トランジスタＴｒ１〜Ｔｒ３はオフ状態となってメイン制御部１３のＺＷポート、ＺＴポート及びＦＦポートには論理レベルハイが入力される。
【００１７】
上記した、リモコン信号伝達部１７のＺｏｏｍ端子とＣｏｍ.端子との間、またはＦｏｃｕｓ端子とＣｏｍ.端子との間に印加される電圧に基づき、メイン制御部１３の４個のポートＺＷ、ＺＴ、ＦＦ、ＦＮに入力される論理レベルを整理すると、次の表の通りである。
【００１８】
【表１】
2005151545.tif 000003
図３は、リモコン３０に設けられた操作ボタン３１〜３７を選択して、撮影装置１０を制御する方法の説明に提供されるフローチャートである。図３を参照するに、まず、使用者が撮影装置１０に対した制御命令を入力するため、リモコン３０に備えられた複数の操作ボタン３１〜３７のいずれかを選択すれば、図２で説明した通り、メイン制御部１３の４個のポートＺＷ、ＺＴ、ＦＦ、ＦＮのうち、対応されるいずれかに論理レベルローが入力される(Ｓ４１)。この場合、撮影部１１がフォーカス動作中であるかズーム動作中である場合には、予め遂行中のフォーカス動作またはズーム動作が継続維持され、使用者により入力された制御命令は無視される(Ｓ５１、Ｓ５３)。
【００１９】
撮影部１１がフォーカス動作やズーム動作を行っていない場合、メイン制御部１３はＳ４１で選択された操作ボタンに対応する制御命令を行う(Ｓ６１〜Ｓ９３)。
【００２０】
使用者がＳ４１でＷＩＤＥボタン３１を選択して、メイン制御部１３のＺＷポートに論理レベルローが入力された場合(Ｓ６１)、メイン制御部１３は撮影部１１に備えられたズームモータをＷＩＤＥ方向に駆動させ、ズーム倍率を縮小させる(Ｓ６３)。
【００２１】
また、使用者がＳ４１でＴＥＬＥボタン３３を選択して、メイン制御部１３のＺＴポートに論理レベルローが入力された場合(Ｓ７１)、メイン制御部１３は撮影部１１に備えられたズームモータをＴＥＬＥ方向に駆動させ、ズーム倍率を拡大させる(Ｓ７３)。
【００２２】
また、使用者がＳ４１でＦＡＲボタン３５を選択し、メイン制御部１３のＦＦポートに論理レベルローが入力された場合(Ｓ８１)、メイン制御部１３は撮影部１１に備えられたフォーカスモータをＦＡＲ方向に駆動させ、焦点を遠距離に移動させる(Ｓ８３)。
【００２３】
最後に、使用者がＳ４１でＮＥＡＲボタン３７を選択して、メイン制御部１３のＦＮポートに論理レベルローが入力された場合(Ｓ９１)、メイン制御部１３は撮影部１１に備えられたフォーカスモータをＮＥＡＲ方向に駆動させ、焦点を近距離に移動させる(Ｓ９３)。
【００２４】
以上で説明したように、従来の撮影システムで使用者はリモコン３０を利用して撮影装置１０のズーム機能とフォーカス機能に対する制御命令を入力できる。しかし、使用者がリモコン３０にて入力できる制御命令は、ズーム機能とフォーカス機能とに限定されるので、以外の制御命令を入力するためには、撮影措置１０に設けられたキー入力部１５を利用しなければならない。もし、撮影装置１０が建物の天井のように高い所に位置している場合、使用者がキー入力部１５を直接操作するのに困難な問題点がある。
【００２５】
もちろん、使用者のＰＣと撮影装置１０との間の直列通信を利用して、制御命令を入力する方法を想定できるが、これは別途の設備をさらに要求するため、複雑、かつ費用面でも使用者に負担となる。
【００２６】
また、リモコン３０に設けられた操作ボタンの個数を増加させて、さらに多くの制御命令を入力できるようにする方法も利用できるが、もしメイン制御部１３にリモコン信号を受け取るために割り当てられたポートの個数に制限がある場合には、この方法も困難となる問題点がある。
【発明の開示】
【発明が解決しようとする課題】
【００２７】
そこで、本発明は上記従来の問題点に鑑みてなされたものであって、本発明の目的は、複数の操作ボタンが備えられたリモコンを利用して撮影装置に制御命令を入力できる撮影システムにおいて、複数の操作ボタンを同時に選択してそれに該当する複数のリモコン信号が撮影装置に印加されれば、撮影装置は印加された複数のリモコン信号を組み合わせて構成した新しい制御命令に基づき制御動作を行う撮影システム及びその制御方法を提供することである。
【課題を解決するための手段】
【００２８】
上記目的を達成するための本発明による撮影システムは、レンズ部を介して入射される光信号を電気的信号に光電変換させた後、所定の信号処理過程を経て生成した画像信号を出力する撮影部と、第１及び第２制御命令を各々入力するための第１及び第２操作ボタンを備え、前記第１及び第２操作ボタンの少なくとも一つを選択できる入力部と、前記第１及び第２操作ボタンのいずれかが選択されれば、対応される前記第１及び第２制御命令のいずれかに基づき前記撮影部を制御し、前記第１及び第２操作ボタン全てが選択されれば、第３制御命令に基づき前記撮影部を制御する制御部とを備える。
【００２９】
また、前記制御部は、前記第１及び第２操作ボタン全部が所定の時間以上に持続的に選択されれば、第４制御命令に基づき前記撮影部を制御することが好ましい。
【００３０】
また、前記入力部は、前記第３及び第４制御命令のいずれかを入力するための第３操作ボタンをさらに備え、前記制御部は、前記入力部で前記第３操作ボタンが所定時間未満に選択されれば、前記第３制御命令に基づき前記撮影部を制御し、所定時間以上に持続的に選択されれば、前記第４制御命令に基づき前記撮影部を制御することができる。
【００３１】
また、前記制御部は、前記第１操作ボタンが所定時間以上に持続的に選択されれば、前記第３制御命令に基づき前記撮影部を制御し、前記第２操作ボタンが所定時間以上に持続的に選択されれば、前記第４制御命令に基づき前記撮影部を制御することができる。
【００３２】
また、前記第３制御命令は、メニュー画面の表示命令、前記撮影部の環境設定値を基本値に復元するための復元命令、自動焦点設定命令及び自動露出設定命令のいずれかであり得る。また、前記第４制御命令は、メニュー画面の表示命令、前記撮影部の環境設定値を基本値に復元するための復元命令、自動焦点設定命令及び自動露出設定命令のいずれかであり得る。
【００３３】
また、本発明に係るレンズ部を介して入射される光信号を電気的信号に光電変換させた後、所定の信号処理過程を経て生成した画像信号を出力する撮影部及び第１及び第２操作ボタンが含まれた入力部を備えた撮影システムの制御方法は、ａ)前記第１及び第２操作ボタンの少なくとも一つを選択するステップと、ｂ)前記ａ)ステップにおいて、前記第１及び第２操作ボタンのいずれが選択されれば、対応される第１及び第２制御命令のいずれかに基づいて前記撮影部を制御するステップと、ｃ)前記ａ)ステップにおいて、前記第１及び第２操作ボタン全てが選択されれば、第３制御命令に基づき前記撮影部を制御するステップとを備える。
【００３４】
また、撮影システムの制御方法は、ｄ)前記ａ)ステップにおいて、前記第１及び第２操作ボタン全てが所定時間以上に持続的に選択されれば、第４制御命令に基づき前記撮影部を制御するステップをさらに備えることが好ましい。
【００３５】
また、前記入力部は、前記第３及び第４制御命令のいずれかを入力するための第３操作ボタンをさらに備え、ｅ)前記ａ)ステップにおいて、前記第３操作ボタンが所定時間未満に選択されれば、前記第３制御命令に基づき前記撮影部を制御するステップと、ｆ)前記ａ)ステップにおいて、前記第３操作ボタンが所定時間以上に持続的に選択されれば、前記第４制御命令に基づき前記撮影部を制御するステップとをさらに備えることが好ましい。
【００３６】
また、撮影システムの制御方法は、ｇ)前記ａ)ステップにおいて、前記第１操作ボタンが所定時間以上に持続的に選択されれば、前記第３制御命令に基づき前記撮影部を制御するステップと、ｈ)前記ａ)ステップにおいて、前記第２操作ボタンが所定時間以上に持続的に選択されれば、前記第４制御命令に基づき前記撮影部を制御するステップとをさらに備えることができる。
【００３７】
また、前記第３制御命令は、メニュー画面の表示命令、前記撮影部の環境設定値を基本値に復元するための復元命令、自動焦点設定命令及び自動露出設定命令のいずれかであり得る。また、前記第４制御命令は、メニュー画面の表示命令、前記撮影部の環境設定値を基本値に復元するための復元命令、自動焦点設定命令及び自動露出設定命令のいずれかであり得る。
【発明の効果】
【００３８】
本発明の撮影システム及びその製造方法によれば、複数の操作ボタンが備えられたリモコンを利用して撮影装置に制御命令を入力できる撮影システムにおいて、複数の操作ボタンを同時に選択してそれに該当する複数のリモコン信号が撮影装置に印加されれば、撮影装置は印加された複数のリモコン信号を組み合わせて構成した新しい制御命令に基づき制御動作を行うことができる。したがって、撮影装置が建物の天井のように高い所に位置している場合に撮影装置の裏面に設けられたキー入力部を直接操作しなければならないという不便とＰＣと撮影装置との間の直列通信を利用して制御命令を入力しなければならないという不便を防止でき、リモコンによりさらに多い種類の制御命令を入力するため、メイン制御部にリモコン信号を受け取るためのポートの個数を増加させる必要がなくなる。
【発明を実施するための最良の形態】
【００３９】
次に、本発明を実施するための最良の形態の具体例を図面を参照しながら説明する。
【実施例１】
【００４０】
図４は、本発明に係る撮影システムの説明に提供されるブロック図である。図４に示すように、本発明に係る撮影システムは撮影装置１００、記録/再生部２００及びリモコン３００から構成される。
【００４１】
撮影装置１００は、レンズを介して入射される光信号を電気的信号に光電変換させた後、所定の信号処理過程を経て生成した画像信号を記録/再生部２００に提供し、キー入力部１５０またはリモコン３００にて入力される使用者の制御命令に基づき、各モジュールを制御する。このような機能を行う撮影装置１００は、撮影部１１０、ＯＳＤ(オンスクリーンディスプレイ)処理部１２０、メイン制御部１３０、リモコン信号伝達部１４０、キー入力部１５０及びＯＳＤメニュー格納部１６０から構成される。
【００４２】
撮影部１１０は、レンズを介して入射される光信号を電気的信号に光電変換させた後、所定の信号処理過程を経て生成した画像信号を出力する。このような機能を行う撮影部１１０は、レンズ部１１１、レンズ駆動部１１３、ＣＣＤ(電荷結合素子)１１５、ＣＣＤ駆動部１１７及び信号処理部１１９から構成される。
【００４３】
ＣＣＤ１１５は、レンズ部１１１を介して入射される光信号を電気的信号に光電変換する。また、レンズ駆動部１１３とＣＣＤ駆動部１１７は、メイン制御部１３０の制御に基づき、レンズ部１１１とＣＣＤ１１５を各々駆動させる。具体的に、レンズ駆動部１１３には撮影対象である被写体の倍率が拡大/縮小されるようにレンズ部１１１を駆動させるズームモータ、焦点距離を遠距離/近距離に調整するためにレンズ部１１１を駆動させるフォーカスモータ及びＣＣＤ１１５に入射される光量を調節するためにレンズ部１１１に設けられたアイリス(絞り)を駆動させるアイリスモータが備えられる。
【００４４】
信号処理部１１９は、メイン制御部１３０の制御に基づき、ＣＣｄ１１５の出力信号に含まれた雑音を除去し、信号のレベルが一定に維持されるように利得を調整し、デジタル信号に変換し、以外に輝度値、色差(クロミナンス)値などを調整し、画像サイズを調整(デジタルズーム)する。また、記録対象となる画像信号はＭＰＥＧフォーマットの信号に圧縮する。
【００４５】
ＯＳＤ処理部１２０は、メイン制御部１３０の制御に基づき、撮影部１１０から提供された画像にＯＳＤメニューをオーバーラップさせる。具体的に、使用者がキー入力部１５０やリモコン３００を介してメニュー表示命令または関連情報表示命令などをディスプレイさせることを命令すれば、これを伝達されたメイン制御部１３０がＯＳＤメニュー、表示文字などが記録されているＯＳＤメニュー格納部１６０から該当ＯＳＤメニュー、表示文字などを読み出してＯＳＤ処理部１２０に印加すれば、ＯＳＤ処理部１２０は撮影部１１０から提供された画像にＯＳＤメニュー、表示文字などをオーバーラップして出力する。
【００４６】
メイン制御部１３０は、キー入力部１５０またはリモコン３００にて使用者の制御命令を受け取り、それに基づき撮影部１１０とＯＳＤ処理部１２０とを制御する。
【００４７】
そして、リモコン信号伝達部１４０はリモコン３００から出力されるリモコン信号をメイン制御部１３０に印加する。
【００４８】
記録/再生部２００は撮影装置１００で撮影された画像を伝送されて、これをディスプレイ装置に再生したり記録媒体に記録する。
【００４９】
リモコン３００は、使用者の命令を入力するための手段であって、複数の操作ボタンを備える。
【００５０】
以下では、使用者がリモコン３００にて入力した制御命令がメイン制御部１３０に伝達される過程と、制御命令を受け取ったメイン制御部１３０が撮影部１１０を制御する過程とに対して、図５ないし図８を参照して説明する。
【００５１】
図５は、本発明の一実施の形態に係るリモコン３００から出力可能な複数のリモコン信号を組み合わせて構成した制御命令に基づき撮影装置１００を制御する撮影システムの説明に提供される図面である。図５に示すリモコン３００は、図２に示すリモコン３０とは異なり、各々の操作ボタン３１１〜３１７が２つ以上の制御命令を担当でき、これを反映して各々の操作ボタン３１１〜３１７には該当制御命令らが複数個で表示されている。したがって、リモコン３００の操作ボタン３１１〜３１７には、ＷＩＤＥ、ＴＥＬＥ、ＦＡＲ、ＮＥＡＲ制御命令の以外に、カーソル移動命令を入力するためにも使用できることを示す表示である「▲」、「▼」、「▲」、「▲」が各々さらに表示されている。
【００５２】
また、図２に示すリモコン３０とは異なり、図５に示すリモコン３００の場合は、複数の操作ボタン３１１〜３１７のうち、２個以上を同時に選択することも可能である。リモコン３００の操作ボタン３１１〜３１７の下段には２個の操作ボタンを同時に選択した場合に入力される制御命令/機能に対する案内情報である操作ボタン使用情報３３０が表示されている。操作ボタン使用情報３３０において、「・」表示は操作ボタンを短く押すことを意味し、「−」表示は操作ボタンを長く押すことを意味する。
【００５３】
操作ボタン使用情報３３０によれば、ＷＩＤＥ▲ボタン３１１とＦＡＲ▲ボタン３１５を同時に長く押す場合にはメニュー画面(ＭＥＮＵ)表示命令が入力され、同時に短く押す場合には自動焦点(Ａｕｔｏ  Ｆｏｃｕｓｉｎｇ：ＡＦ)設定命令が入力されるが、メニュー画面が表示された場合であれば、カーソルが位置したメニュー項目を選択/実行させるためのエンター(ＥＮＴＥＲ)命令が入力されることが分かる。また、ＴＥＬＥ▼ボタン３１３とＮＥＡＲ▲ボタン３１７を同時に長く押す場合には、撮影部１１０に設けられた各モジュールの環境設定値を基本値に復元させるための復元(ＨＯＭＥ)命令が入力され、同時に短く押した場合には自動露出(ＡＥ)設定命令が入力されることが分かる。
【００５４】
図６は、図５のリモコン３００の回路図である。リモコン３００は、ＡＣ  ２４ＶまたはＤＣ  １２Ｖ電源を使用することができる。第１及び第２定電圧回路部３４１、３４２は負荷の変動があっても、常に一定の電圧を出力できる回路である。本実施の形態では、第１定電圧回路部３４１から１０Ｖの電圧が出力され、第２定電圧回路部３４２から５Ｖの電圧が出力されることとした。これに伴い、ノードＡの電圧は１０Ｖとなり、ノードＢの電圧は５Ｖとなり、したがってＣｏｍ.端子には５Ｖの電圧が印加される。
【００５５】
また、第１〜第６キャパシタC１〜C６はノイズ成分を除去するためのバイパスキャパシタである。また、第５発光ダイオードＤ５は電源が印加される場合に発光され、使用者にリモコン３００がオンの状態となったことを示すものである。
【００５６】
ＷＩＤＥ▲ボタン３１１のみが押された場合、Ｒ６での電圧降下を無視すれば、Ｚｏｏｍ端子にはノードＡの電圧と同じ１０Ｖが印加される。したがって、リモコン信号伝達部１４０のＺｏｏｍ端子とＣｏｍ.端子との間の電圧差は＋５Ｖ(１０−５=＋５Ｖ)となって、メイン制御部１３０のＺＷポートに論理レベルローが入力され、余りポートには論理レベルハイが入力される(表１参照)。
【００５７】
また、ＴＥＬＥ▼ボタン３１３のみが押された場合、Ｒ７での電圧降下を無視すれば、Ｚｏｏｍ端子には０Ｖが印加される。したがって、リモコン信号伝達部１４０のＺｏｏｍ端子とＣｏｍ.端子との間の電圧差は、−５Ｖ(０−５=−５Ｖ)となって、メイン制御部１３０のＺＴポートに論理レベルローが入力され、余りのポートには論理レベルハイが入力される。
【００５８】
また、ＦＡＲ▲ボタン３１５のみが押された場合、Ｒ６での電圧降下を無視すれば、Ｆｏｃｕｓ端子にはノードＡの電圧と同じ１０Ｖが印加される。したがって、リモコン信号伝達部１４０のＦｏｃｕｓ端子とＣｏｍ.端子との間の電圧差は＋５Ｖ(１０−５=＋５Ｖ)となって、メイン制御部１３０のＦＦポートに論理レベルローが入力され、余りのポートには論理レベルハイが入力される。
【００５９】
また、ＮＥＡＲ▲ボタン３１７のみが押された場合、Ｒ７での電圧降下を無視すれば、Ｆｏｃｕｓ端子には０Ｖが出力される。したがって、リモコン信号伝達部１４０のＦｏｃｕｓ端子とＣｏｍ.端子との間の電圧差は、−５Ｖ(０−５=−５Ｖ)となって、メイン制御部１３０のＦＮポートに論理レベローが入力され、余りポートには論理レベルハイが入力される。
【００６０】
一方、ＷＩＤＥ▲ボタン３１１とＦＡＲ▲ボタン３１５とが同時に押されば、リモコン信号伝達部１４０のＺｏｏｍ端子とＣｏｍ.端子との間の電圧差とＦｏｃｕｓ端子とＣｏｍ.端子との間の電圧差は全て＋５Ｖとなって、メイン制御部１３０のＺＷポートとＦＦポートとにローが入力され、余りのポートには論理レベルハイが入力される。
【００６１】
また、ＴＥＬＥ▼ボタン３１３とＮＥＡＲ▲ボタン３１７が同時に押された場合、リモコン信号伝達部１４０のＺｏｏｍ端子とＣｏｍ.端子との間の電圧差とＦｏｃｕｓ端子とＣｏｍ.端子との間の電圧差は全て−５Ｖとなって、メイン制御部１３０のＺＴポートとＦＮポートとにローが入力され、余りのポートには論理レベルハイが入力される。
【００６２】
以下では、制御命令を伝達されたメイン制御部１３０が撮影部１１０を制御する過程に対して、図７及び図８を参照して説明する。図７及び図８は本発明の一実施の形態に係るリモコンから出力可能な複数のリモコン信号を組み合わせて構成した制御命令に基づき撮影装置を制御する方法を説明する図である。
【００６３】
図７を参照するに、まず、使用者が撮影装置１００に対した制御命令をするため、リモコン３００に備えられた操作ボタン３１１〜３１７のうち、少なくとも一つを選択すれば、それに対応されるメイン制御部１３０のポートに論理レベルローが入力される(Ｓ６１０)。
【００６４】
Ｓ６１０で２つ以上の操作ボタンが同時に選択されて、メイン制御部１３０の２つ以上のポートに論理レベルローが同時に入力された場合(Ｓ６２０)、メイン制御部１３０は論理レベルローが入力されたポートの種類を判断する。もし、リモコン３００のＷＩＤＥ▲ボタン３１１とＦＡＲ▲ボタン３１５が同時に選択されて、リモコン信号伝達部１４０のＺｏｏｍ端子とＣｏｍ.端子との間の電圧差とＦｏｃｕｓ端子とＣｏｍ.端子との間の電圧差が全部＋５Ｖとなって、メイン制御部１３０のＺＷポートとＦＦポートとに論理レベルローが同時に入力されれば(Ｓ６３１)、メイン制御部１３０はＺＷポートとＦＦポートとに論理レベルローが入力される時間をチェックする。
【００６５】
もし、リモコン３００のＷＩＤＥ▲ボタン３１１とＦＡＲ▲ボタン３１５が同時に所定時間(例えば、２秒）以上選択されて(押されて)、メイン制御部１３０のＺＷポートとＦＦポートとに論理レベルローが同時に所定時間以上持続的に入力されれば(Ｓ６３３)、メイン制御部１３０はこれをメニュー画面(ＭＥＮＵ)表示命令として認識する。したがって、メイン制御部１３０は、ＯＳＤメニュー格納部１６０から該当ＯＳＤメニューを読み出してＯＳＤ処理部１２０に印加し、ＯＳＤ処理部１２０は撮影部１１０から提供された画像にＯＳＤメニューをオーバーラップして記録/再生部２００に出力することによって、使用者がインターフェスできるようにする(Ｓ６３５)。
【００６６】
これに対し、Ｓ６３３でメイン制御部１３０のＺＷポートとＦＦポートとに論理レベルローが所定時間未満入力されれば、メイン制御部１３０はこれを自動焦点(Ａｕｔｏ Ｆｏｃｕｓｉｎｇ：ＡＦ)設定命令として認識する。したがって、メイン制御部１３０は、レンズ駆動部１１３に備えられたフォーカスモータを自動に制御することによって、ＡＦを行う(Ｓ６３７)。
【００６７】
一方、Ｓ６１０において、リモコン３００のＴＥＬＥ▼ボタン３１３とＮＥＡＲ▲ボタン３１７とが同時に選択されて、リモコン信号伝達部１４０のＺｏｏｍ端子とＣｏｍ.端子間の電圧差とＦｏｃｕｓ端子とＣｏｍ.端子との間の電圧差が全て-５Ｖとなって、メイン制御部１３０のＺＴポートとＦＮポートとに論理レベルローが入力されれば(Ｓ６４１)、メイン制御部１３０はＺＴポートとＦＮポートとに論理レベルローが入力される時間をチェックする。
【００６８】
もし、リモコン３００のＴＥＬＥ▼ボタン３１３とＮＥＡＲ▲ボタン３１７とが同時に所定時間(たとえば、２秒）以上選択されて(押されて)、メイン制御部１３０のＺＴポートとＦＮポートとに論理レベルローが所定時間以上持続的に入力されれば(Ｓ６４３)、メイン制御部１３０はこれを復元ＨＯＭＥ命令として認識する。したがって、メイン制御部１３０は撮影部１１０に設けられた各モジュールの環境設定値を基本値(デフォルト値)に再設定(復元)する(Ｓ６４５)。
【００６９】
これに対し、Ｓ６４３において、メイン制御部１３０のＺＴポートとＦＮポートとに論理レベルローが所定時間未満入力されれば、メイン制御部１３０はこれを自動露出(Ａｕｔｏ  Ｅｘｐｏｓｕｒｅ：ＡＥ)設定命令として認識する。したがって、メイン制御部１３０は、レンズ駆動部１１３に備えられたアイリスモータを自動に制御することによって、ＡＥを行う(Ｓ６４７)。
【００７０】
また、Ｓ６１０において、一つの操作ボタンのみが選択された場合には、メイン制御部１３０は入力された制御命令に基づき、ズームとフォーカスを制御する(Ｓ６５０)が、これに対する細部過程は図３と同じである。
【００７１】
以下では、Ｓ６３５が行われて記録/再生部２００にメニュー画面が表示された場合、リモコン３００の操作ボタンを選択することにより行われる動作に対して、図８を参照して説明する。
【００７２】
記録/再生部２００にメニュー画面が表示された場合(Ｓ６３５)、リモコン３００のＷＩＤＥ▲ボタン３１１とＦＡＲ▲ボタン３１５とが同時に選択され、リモコン信号伝達部１４０のＺｏｏｍ端子とＣｏｍ.端子の電圧差と、Ｆｏｃｕｓ端子とＣｏｍ.端子の電圧差が全部＋５Ｖとなって、メイン制御部１３０のＺＷポートとＦＦポートとにローが同時に入力されれば(Ｓ７１１)、メイン制御部１３０はこれを現在メニュー画面上でカーソルが位置したメニュー項目を選択/実行させるためのエンターＥＮＴＥＲ命令として認識し、これを行う(Ｓ７１３)。この場合、カーソルが位置したメニュー項目に従属する下位メニューが存在する場合、メイン制御部１３０はその下位メニューをＯＳＤメニュー格納部１６０から引出してＯＳＤ処理部１２０に印加することによって、記録/再生部２００に表示されるようにし、若し、カーソルが位置したメニュー項目の下位メニューが存在しない場合、メイン制御部１３０はそのメニュー項目に対応される制御動作を行う。
【００７３】
もし、リモコン３００のＷＩＤＥ▲ボタン３１１が選択されて、リモコン信号伝達部１４０のＺｏｏｍ端子とＣｏｍ.端子との間の電圧差が＋５Ｖとなって、メイン制御部１３０のＺＷポートに論理レベルローが入力されれば(Ｓ７２１)、メイン制御部１３０はこれをメニュー画面上に表示されたカーソルを上方向ＵＰに移動させるための命令として認識し、ＯＳＤ処理部１２０を制御してカーソルが上方向ＵＰに移動されて表示されるようにする(Ｓ７２３)。
【００７４】
また、リモコン３００のＴＥＬＥ▼ボタン３１３が選択されて、リモコン信号伝達部１４０のＺｏｏｍ端子とＣｏｍ.端子との間の電圧差が-５Ｖとなって、メイン制御部１３０のＺＴポートに論理レベルローが入力されれば(Ｓ７３１)、メイン制御部１３０はこれをメニュー画面上に表示されたカーソルを下方向Ｄｏｗｎに移動させるための命令として認識し、ＯＳＤ処理部１２０を制御してカーソルが下方向Ｄｏｗｎに移動されて表示されるようにする(Ｓ７３３)。
【００７５】
また、リモコン３００のＦＡＲ▲ボタン３１５が選択されて、リモコン信号伝達部１４０のＦｏｃｕｓ端子とＣｏｍ.端子との間の電圧差が＋５Ｖとなって、メイン制御部１３０のＦＦポートに論理レベルローが入力されれば(Ｓ７４１)、メイン制御部１３０はこれをメニュー画面上に表示されたカーソルを左方向Ｌｅｆｔに移動させるための命令として認識し、ＯＳＤ処理部１２０を制御してカーソルが左方向Ｌｅｆｔに移動されて表示されるようにする(Ｓ７４３)。
【００７６】
最後に、リモコン３００のＮＥＡＲ▲ボタン３１７が選択されて、リモコン信号伝達部１４０のＦｏｃｕｓ端子とＣｏｍ.端子との間の電圧差が−５Ｖとなって、メイン制御部１３０のＦＮポートに論理レベルローが入力されれば(Ｓ７５１)、メイン制御部１３０はこれをメニュー画面上に表示されたカーソルを右方向Ｒｉｇｈｔに移動させるための命令として認識し、ＯＳＤ処理部１２０を制御してカーソルが右方向Ｒｉｇｈｔに移動されて表示されるようにする(Ｓ７５３)。
【００７７】
以下では、本発明のさらに他の実施の形態に係るリモコンから出力可能な複数のリモコン信号を組み合わせて構成した制御命令に基づき撮影装置を制御する方法に対して図９及び図１０を参照して説明する。
【００７８】
図９に示しているリモコン３００は、図５のリモコン３００にＭＥＮＵ/ＡＦ操作ボタン３２１とＨＯＭＥ/ＡＥ操作ボタン３２３とをさらに追加したものである。使用者がＭＥＮＵ/ＡＦ操作ボタン３２１を選択すれば、ＷＩＤＥ▲ボタン３１１とＦＡＲ▲ボタン３１５とが同時に選択された場合と同じ制御命令が入力され、使用者がＨＯＭＥ/ＡＥ操作ボタン３２３を選択すれば、ＴＥＬＥ▼ボタン３１３とＮＥＡＲ▲ボタン３１７とが同時に選択された場合と同じ制御命令が入力される。
【００７９】
以下では、使用者がＭＥＮＵ/ＡＦ操作ボタン３２１、またはＨＯＭＥ/ＡＥ操作ボタン３２３を選択した場合、メイン制御部１３０に制御命令が伝達される過程に対して、図１０を参照して説明する。図１０は、図９のリモコン３００の回路図を示す図面である。図１０に示す回路図は、図６に示す回路図にＭＥＮＵ/ＡＦ操作ボタン３２１、ＨＯＭＥ/ＡＥ操作ボタン３２３及び第６〜第９ダイオードＤ６〜Ｄ９がさらに追加されたものである。
【００８０】
ＭＥＮＵ/ＡＦ操作ボタン３２１が選択されれば、第６ダイオードＤ６と第７ダイオードＤ７とが導通され、Ｒ６での電圧降下を無視すればＺｏｏｍ端子とＦｏｃｕｓ端子とにはノードＡの電圧と同じ１０Ｖが印加される。したがって、リモコン信号伝達部１４０のＺｏｏｍ端子とＣｏｍ.端子との間の電圧差とＦｏｃｕｓ端子とＣｏｍ.端子との間の電圧差は全部＋５Ｖ(１０−５＝＋５Ｖ)となって、メイン制御部１３０のＺＷポートとＦＦポートに論理レベルローが入力されて、余りポートには論理レベルハイが入力される。したがって、ＷＩＤＥ▲ボタン３１１とＦＡＲ▲ボタン３１５が同時に選択された場合と同じ制御命令が入力されるので、図７のＳ６３１を行うようになる。
【００８１】
また、ＨＯＭＥ/ＡＥ操作ボタン３２３が選択されれば、第８ダイオーＤ８と第９ダイオードＤ９とが導通され、Ｒ７での電圧降下を無視すればＺｏｏｍ端子とＦｏｃｕｓ端子には０Ｖが印加される。したがって、リモコン信号伝達部１４０のＺｏｏｍ端子とＣｏｍ.端子との間の電圧差とＦｏｃｕｓ端子とＣｏｍ.端子との間の電圧差は全部−５Ｖ(０−５＝−５Ｖ)となって、メイン制御部１３０のＺＴポートとＦＮポートとに論理レベルローが入力され、余りのポートには論理レベルハイが入力される。したがって、ＴＥＬＥ▼ボタン３１３とＮＥＡＲ▲ボタン３１７とが同時に選択された場合と同じ制御命令が入力されるため、図７のＳ６４１を行うようになる。
【００８２】
これによれば、一つの操作ボタンの選択だけで、二つの操作ボタンを同時に選択したことと同じ制御命令が入力される。また、操作ボタンが追加されたがメイン制御部１３０にリモコン信号入力用として割り当てられたポートの個数に変化がないので、リモコン３００の設計変更だけで本実施の形態を実現できる。使用者がよく入力する制御命令の場合には、こういう一つの操作ボタンだけを使用して入力できるようにすることによって、使用者が２つの操作ボタンを同時に選択することによって体験する不便さを防止できるようになる。
【００８３】
一方、図７ではリモコン３００に設けられた操作ボタン３１１〜３１７各々に対応される制御命令でない他の制御命令Ｍｅｎｕ、ＡＦ、Ｈｏｍｅ、ＡＥを入力するため、二つの操作ボタンを同時に選択する方式に対して記述したが、これは一例にすぎない。したがって、２つでない１つの操作ボタンだけを所定時間(例えば、２秒以上）以上選択することによって、Ｍｅｎｕ、ＡＦ、Ｈｏｍｅ、ＡＥのような制御命令を入力しうることはもちろんである。
【００８４】
また、図７では説明の便宜上、リモコン３００のＷＩＤＥ▲ボタン３１１とＦＡＲ▲ボタン３１５とが組み合わせられた場合と、リモコン３００のＴＥＬＥ▼ボタン３１３とＮＥＡＲ▲ボタン３１７とが組み合わせられた場合に対してのみ記述したが、これも一例に過ぎないものであって、ＷＩＤＥ▲ボタン３１１とＮＥＡＲ▲ボタン３１７とを組み合わせたり、ＴＥＬＥ▼ボタン３１３とＦＡＲ▲ボタン３１５とを組み合わせて制御命令を入力することが可能であることは勿論である。
【図面の簡単な説明】
【００８５】
【図１】従来の撮影システムのブロック図である。
【図２】図１のリモコンから出力されるリモコン信号がリモコン信号伝達部を介してメイン制御部に印加される過程を示す図である。
【図３】リモコンに設けられた操作ボタンを選択して、撮影装置を制御する方法を示すフローチャートである。
【図４】本発明に係る撮影システムを示すブロック図である。
【図５】本発明の一実施の形態に係るリモコンから出力可能な複数のリモコン信号を組み合わせて構成した制御命令に基づき撮影装置を制御する撮影システムを示す図である。
【図６】図５のリモコンの回路図である。
【図７】本発明の一実施の形態に係るリモコンから出力可能な複数のリモコン信号を組み合わせて構成した制御命令に基づき撮影装置を制御する方法を示す図である。
【図８】本発明の一実施の形態に係るリモコンから出力可能な複数のリモコン信号を組み合わせて構成した制御命令に基づき撮影装置を制御する方法を示す図である。
【図９】本発明のさらに他の実施の形態に係るリモコンから出力可能な複数のリモコン信号を組み合わせて構成した制御命令に基づき撮影装置を制御する方法を示す図である。
【図１０】図９のリモコンの回路図を示す図である。
【符号の説明】
【００８６】
１００  撮影装置
１１０  撮影部
１２０  ＯＳＤ処理部
１３０  メイン制御部
１４０  リモコン信号伝達部
１６０  ＯＳＤメニュー格納部
２００  記録/再生部
３００  リモコン
【図１】
2005151545.tif 000004
【図２】
2005151545.tif 000005
【図３】
2005151545.tif 000006
【図４】
2005151545.tif 000007
【図５】
2005151545.tif 000008
【図６】
2005151545.tif 000009
【図７】
2005151545.tif 000010
【図８】
2005151545.tif 000011
【図９】
2005151545.tif 000012
【図１０】
2005151545.tif 000013